(57)【特許請求の範囲】
【請求項１】
それぞれ通信回線に係る識別情報を記憶した複数の記憶媒体から、前記識別情報を読み出す読み出し手段と、
前記読み出し手段により前記複数の記憶媒体から読み出された識別情報に基づいて前記複数の記憶媒体に対応した通信回線を決定し、前記決定した複数の通信回線を使用して基地局との間で通信を行う手段であって、通信可能な基地局を探索する処理を実行する通信手段と、
前記基地局を介して通信を行う通信相手の回線の番号と通信キャリアとを対応付けた電話帳の情報を記憶する記憶手段と、
前記決定した複数の通信回線に係る複数の通信キャリアごとに前記通信手段が前記探索処理を実行する間隔を設定する手段であって、前記電話帳に記憶された数が多いキャリアほど、前記間隔を短く設定する設定手段と、
前記設定手段により設定された間隔で、前記決定した複数の通信回線についての前記探索処理を実行するように、前記通信手段を制御する制御手段とを備える通信装置。
【請求項２】
前記制御手段は、前記決定した複数の通信回線のうち、待ち受け状態となっていない通信回線に対応する前記通信手段に対して前記探索処理を実行するよう制御することを特徴とする請求項１に記載の通信装置。
【請求項３】
前記複数の記憶媒体を装着するための複数のスロットを備え、前記読み出し手段は前記複数のスロットに装着された前記記憶媒体から前記識別情報を読み出すことを特徴とする請求項１に記載の通信装置。
【請求項４】
前記設定手段は、前記電話帳に記憶された数が最も多いキャリアについての前記探索処理の実行間隔を、他のキャリアについての前記探索処理の実行間隔よりも短く設定することを特徴とする請求項１に記載の通信装置。
【発明の詳細な説明】
【技術分野】
【０００１】
本発明は通信装置に関し、特に、複数の通信回線を利用して通信を行う装置に関する。
【背景技術】
【０００２】
従来、携帯型の通信装置として、携帯電話機が知られている。
【０００３】
携帯電話機のうち、特に、ＩＭＴ−２０００の電話機においては、ＳＩＭ（Ｓｕｂｓｃｒｉｂｅｒ  Ｉｄｅｎｔｉｆｉｃａｔｉｏｎ  Ｍｏｄｕｌｅ）カードと呼ばれるＩＣカードがユーザに配布される。
【０００４】
各ＳＩＭカードには、回線契約ごとに電話（加入者）番号やキャリア（契約した会社及びその通信方式）などの加入者識別情報が格納されている。そして、このＳＩＭカードを電話機に装着し、識別情報をＳＩＭカードから読み出すことで発信及び着信の通話が可能となる。また、電話機に装着するＳＩＭカードを入れ替えることで、一つの契約回線を使って複数の電話機を使い分けることが可能となる。
【０００５】
また、ユーザが一人で複数の通信回線を契約した場合、契約毎の識別情報を記憶したＳＩＭカードが提供される。そのため、電話機に装着するＳＩＭカードを入れ替えることで、一台の電話機で複数の回線を使い分けることが可能となる。
【０００６】
また、二つのＳＩＭカードを装着可能な電話機も提案されている（例えば、特許文献１参照）。そのため、ユーザが二つの回線を契約することにより提供された二つのＳＩＭカードを装着することで、１台の電話機にて、これら二つの回線を用いて通話を行うことができる。
【０００７】
また、この種の携帯電話では、電源投入時には、通信可能な無線基地局を探索し、位置登録を行うセルサーチ実行する。また、無線基地局との間で通信可能な圏内から圏外に移行した場合、セルサーチを定期的に実施して、次の圏内復帰時に速やかに待ち受け状態に移行する。
【特許文献１】特開２００３−１８９３６１
【発明の開示】
【発明が解決しようとする課題】
【０００８】
前述の様に、携帯電話が圏外にある場合、セルサーチの実施間隔を長くすると、圏内復帰時に待ち受け状態に移行するまでの時間が遅れてしまう。一方、セルサーチの間隔が短い場合、頻繁に基地局探索処理を行うことになり、携帯電話のバッテリ残量を大幅に消費してしまう。
【０００９】
特に、複数のＳＩＭカードを装着し、複数のキャリアを利用して通信可能な携帯電話においては、使用するキャリアの数だけセルサーチと位置登録処理を実施する必要がある。
【００１０】
そのため、従来の一つのキャリアのみを利用する携帯電話よりも、一層、消費電力が増加してしまうという問題があった。
【００１１】
本発明は前述の如き問題を解決し、複数の通信回線を使用した場合でも、消費電力を抑えることが可能な装置を提供することを目的とする。
【課題を解決するための手段】
【００１２】
本発明においては、それぞれ通信回線に係る識別情報を記憶した複数の記憶媒体から、前記識別情報を読み出す読み出し手段と、前記読み出し手段により前記複数の記憶媒体から読み出された識別情報に基づいて前記複数の記憶媒体に対応した通信回線を決定し、前記決定した複数の通信回線を使用して基地局との間で通信を行う手段であって、通信可能な基地局を探索する処理を実行する通信手段と、前記基地局を介して通信を行う通信相手の回線の番号と通信キャリアとを対応付けた電話帳の情報を記憶する記憶手段と、前記決定した複数の通信回線に係る複数の通信キャリアごとに前記通信手段が前記探索処理を実行する間隔を設定する手段であって、前記電話帳に記憶された数が多いキャリアほど、前記間隔を短く設定する設定手段と、前記設定手段により設定された間隔で、前記決定した複数の通信回線についての前記探索処理を実行するように、前記通信手段を制御する制御手段とを備える構成とした。
【発明の効果】
【００１３】
複数の通信回線を使用した場合でも、消費電力を抑えることができる。
【発明を実施するための最良の形態】
【００１４】
以下、添付図面に従って本発明に係る実施形態を詳細に説明する。
【００１５】
（実施形態１）
図２は、本発明の実施形態の携帯電話機が使用されるシステムの構成を示す図である。
【００１６】
携帯電話機（以下電話機）１００は、複数の無線基地局２０１〜２０３を介して発信、着信機能を実現する。電話機１００は、公知の様に、これら複数の無線基地局２０１〜２０３のうち、通信に使用する無線基地局を探索する。そして、探索の結果検出した無線基地局を介して通信を行う。
【００１７】
次に、電話機１００について説明する。
【００１８】
図１は、本発明の実施形態としての電話機１００の外観構成を示す図である。
【００１９】
図１の電話機１００は、複数の通信方式による通信が可能である。本実施形態では、Ｗ−ＣＤＭＡ方式とＣＤＭＡ２０００方式による通信が可能である。もちろん、これ以外の通信方式でもよく、また、三つ以上の通信方式による通話を可能とすることもできる。
【００２０】
また、電話機１００は、音声通信機能のほかに、テレビ電話通信などのマルチメディア機能、電子メール送受信機能、ＷＥＢ閲覧機能を持つ。更に、携帯電話機１００は、電話帳機能、電子手帳機能、ゲームなどのアプリケーションをダウンロードして使用する機能、ナビゲーション機能、音楽再生機能を有する。
【００２１】
電話機１００の筐体１ａ、１ｂ内にはアンテナ及び、着信時等に振動させるバイブレータが内蔵されている。また、筐体１ａには、液晶表示部（ＬＣＤ）２が設けられている。表示部２の上部にはスピーカ１１が配置されている。
【００２２】
また、電話機１００には、ＳＩＭカードを装着するための三つのスロット３、４、５が備えられている。これらのＳＩＭスロット３、４、５に対し、異なるＳＩＭカード５、６を装着することが可能である。ＳＩＭカード６、７、８はそれぞれ、自由に取り外しすることが可能となっている。
【００２３】
また、通話の際に音声を入力するためのマイクロフォン１０を筐体１ｂの最下部に配置し、通話機能に加え、各種の機能に関する操作入力のためのキー操作部９を筐体１ｂの下部に備えている。
【００２４】
電話機１００は、筐体１ａと１ｂとを、矢印１２、或いは１３方向に回動させることができる。電話機１００を開いた状態で筐体１ａと１ｂとを矢印１２方向に回動させることで閉じることができる。また、電話機１００を閉じた状態では、表示部２が電話機の内側になる。また、電話機１００を閉じた状態で筐体１ａと１ｂとを矢印１３方向に回動させることで開くことができる。
【００２５】
ユーザは、電話機１００を開いた状態でキー操作部９を操作することにより、各種の機能を利用することができる。また、電話やメールの着信動作は、電話機１００を閉じた状態でも可能である。
【００２６】
図３は、図１の電話機１００の内部構成を示すブロック図である。なお、図３のブロック図は、主に通話機能、電子メールの送受信機能に必要なブロックのみを記載している。前述の様に、電話機１００は通話機能やメール送受信機能の他、各種の機能を持つが、これらの機能に関連したブロック、並びにその詳細な説明については、公知の構成を用いており、詳細な説明は省略する。
【００２７】
図３において、電話機１００の各種の動作はＣＰＵ１０６により制御される。ＣＰＵ１０６はＣＰＵバス１１２を介して各部を制御する。ＣＰＵバス１１２には、データやプログラムを格納するためのＲＡＭ１０７、ＲＯＭ１０８、電源が切れた場合にもデータを保持することが可能な不揮発性メモリであるＥＥＰＲＯＭ１０９が接続される。
【００２８】
ＣＰＵ１０６は、入出力制御部１１０を介してキー操作部９からキー入力を受付けたり、或いはキー操作部９のボタンを光らせる制御を行う。また、ＣＰＵ１０６は、表示制御部１１１を制御することにより、表示部２に対して様々な画像や情報を表示する。
【００２９】
また、ＣＰＵ１０６は、外部メモリＩ／Ｆ１０５を介して、ＳＩＭスロット（Ａ）３、ＳＩＭスロット（Ｂ）４、ＳＩＭスロット（Ｃ）５に装着されたＳＩＭカードの情報を読み取る。
【００３０】
１１３は充電可能なバッテリである。１１４は電力供給部であり、バッテリ１１３の電力を電話機１００の各部に供給する。
【００３１】
また、電話機１００は、Ｗ−ＣＤＭＡ方式（第１の通信方式）用の通信部１０１、１０２と、ＣＤＭＡ２０００方式（第２の通信方式）用の通信部１０３を備えている。そして、後述の様に、装着されたＳＩＭカード４〜６から読み出した加入者情報に従い、通信部１０１、１０２、１０３の何れかを選択し、通信を行う。即ち、装着されたＳＩＭカードが第１の通信方式に対応していた場合には、通信部１０１と１０２の何れかを選択して通信を行い、ＳＩＭカードが第２の通信方式に対応していた場合には通信部１０３を選択して通信を行う。また、本実施形態では、第１の通信方式に対応したＳＩＭカードを２枚同時に装着して通信を行うことができる。更に、本実施形態では、第１の通信方式に対応したＳＩＭカードを２枚と、第２の通信方式に対応したＳＩＭカードを１枚同時に装着して通信を行うことができる。
【００３２】
まず、電話機１００における電話、及び電子メールの基本的な着信、送信処理について説明する。
【００３３】
ここでは、例として、第１の通信部１０１による着信時の処理について説明する。図４は、通信部１０１〜１０３の要部構成を示すブロック図である。通信部１０１〜１０３は、何れも同様の機能ブロックから構成される。また、図４において、アンテナ共用機４０２、受信部４０３、送信部４０４、周波数シンセサイザ４０５、ベースバンド処理部４０６はそれぞれ、ＣＰＵバス１１２を介してＣＰＵ１０６から制御される。
【００３４】
図４において、図２に示した基地局から伝送されてくる無線信号をアンテナ４０１により受信し、受信された信号がアンテナ共用機４０２を介して受信部４０３に入力される。受信部４０３は、高周波増幅器、周波数変換器及び復調器を備える。そして、受信部４０３は、受信した信号を低雑音増幅器で低雑音増幅した後、周波数シンセサイザ４０５より発生された受信局部発信信号と混合し、受信中間周波数信号または受信ベースバンド信号に周波数変換する。そして、周波数変換した信号を復調器で復調する。
【００３５】
復調された信号は、ベースバンド処理部４０６に送られ、制御データ、音声信号及び電子メールのデータに分離される。制御データはＣＰＵ１０６に送られる。ＣＰＵ１０６は、この制御データに応じて着信を検出する。
【００３６】
着信後、ベースバンド処理部４０６は音声データを検出し、コーデック１０４に送る。コーデック１０４は、音声データを通信方式に従って復号し、スピーカ１１から出力する。
【００３７】
一方、電子メールのデータであればＲＡＭ１０７に送られ、保存される。ユーザが、キー操作部９を操作することにより、ＲＡＭ１０７に保存された電子メールデータを任意に読み出して表示部２に表示することができる。
【００３８】
この様に、音声電話を着信すると、スピーカ１１から相手の音声が出力される。
【００３９】
一方、通話中の音声を送信する場合、マイク１０から出力されたユーザの音声信号はコーデック１０４により通信方式に応じて符号化される。符号化された音声データは、ベースバンド処理部４０６により必要な処理が施され、送信部４０４に出力される送信部４０４は、変調器、周波数変換機、送信電力増幅器を備える。そして、送信部４０４は、音声データを通信方式に従って変調した後、周波数シンセサイザ４０５から発生された送信局部発信信号と混合して無線周波数信号に周波数変換する。そして、変換した信号を増幅した後、アンテナ共用器４０２及びアンテナ４０１を介して、不図示の基地局に向けて送信される。
【００４０】
ユーザは、キー操作部９を操作することで、通話を終了することができる。
【００４１】
次に、発信時の処理を説明する。
【００４２】
ユーザは、キー操作部９を操作することにより、相手の番号を入力し、発信を指示する。ＣＰＵ１０６は、発信の指示があると、ベースバンド処理部４０６に対し、発信用のデータを送る。ベースバンド処理部４０６はまず、発信要求のためのデータを送信部４０４に送る。送信部４０４は、発信要求のデータを前述のように変調、周波数変換、及び増幅処理し、アンテナ共用機４０２、アンテナ４０１により指定されたチャネルを使用して基地局に向けて送信する。
【００４３】
発信要求の送信後、ＣＰＵ１０６は、基地局から送信された制御データに基づいて相手との回線が接続されたか否かを検出する。相手との回線接続を確認すると、以下、前述の着信時と同様、相手の音声データを受信すると共に、こちらの音声を送信する処理を実行する。
【００４４】
また、電子メールを送信する場合、ユーザは、キー操作部９を用いて、メール作成を指示する。メール作成が指示されると、ＣＰＵ１０６は、表示制御部１１１を制御し、メール作成用の画面を表示部２に表示する。ユーザはキー操作部９を用いて送信先アドレスや本文を入力し、送信を指示する。ＣＰＵ１０６は、メール送信が指示されると、ベースバンド処理部４０６に対し、アドレスの情報を送り、コーデック１０４に対して本文のデータを送る。コーデック１０４は本文のデータを符号化し、ベースバンド処理部４０６に送る。
【００４５】
ベースバンド処理部４０６は、アドレス、及び本文のデータを送信部４０４に送り、送信部４０４により変調等の処理を施して、アンテナ共用機４０２、アンテナ４０１を介して基地局に送信する。
【００４６】
また、アンテナ共用機４０２は、基地局から送信される電波強度を検出し、検出結果をＣＰＵバス１１２を介してＣＰＵ１０６に送る。
【００４７】
本実施形態では、ＳＩＭスロット（Ａ）３、ＳＩＭスロット（Ｂ）４及びＳＩＭスロット（Ｃ）５に装着されたＳＩＭカードから加入者識別情報を読み取り、この加入者情報に基づいて通信処理を行う。
【００４８】
ここで、ＳＩＭカードに記憶されている情報について説明する。
【００４９】
図７はＳＩＭカードに記憶された情報を示す図である。
【００５０】
各ＳＩＭカードには、ＩＣカードＩＤ７０１、国際移動体端末番号７０２、認証用キー値７０６、ＰＩＮコード７０７、電話帳情報７１０、メールデータ７１２、リザーブ７１３が記憶される。
【００５１】
ＩＣカードＩＤ７０２は、カードをユニークに識別するための情報である。国際移動体端末番号７０２は、契約したキャリアによって提供される加入者を特定するための情報である。国際移動体端末番号７０２は、移動体通信用国番号７０３、移動体通信網識別番号７０４及び移動体端末識別番号７０５から構成されている。移動体通信用国番号７０３により契約したキャリアの国が判別でき、移動体通信網識別番号７０４により契約したキャリアを識別できる。移動体端末識別番号７０５が電話番号として加入者に提供される。
【００５２】
認証用キー値７０６は、キャリアの提供する電話網へアクセスするために電話機との認証を行うための情報である。ＰＩＮ（Ｐｅｒｓｏｎａｌ  Ｉｄｅｎｔｉｆｙ  Ｎｕｍｂｅｒ）コード７０７は、第三者に無断使用されることを防ぐため、ＳＩＭカードが電話機に装着された際に利用者を特定するための認証コードである。ＰＩＮコードは二種類保存することができる。
【００５３】
電話帳７１０には、ＰＩＮコード７０９を入力することにより発信可能となる発信先固定電話帳７１１が含まれる。
【００５４】
次に、電源投入時における、ＳＩＭカードの検出、認証処理について、図５のフローチャートを用いて説明する。
【００５５】
なお、本実施形態の電話機１００では、電源オンの間はＳＩＭスロットからＳＩＭカードを取り出すことができない。そのため、ユーザがＳＩＭカードを装着、排出する場合には、電話機１００の電源をオフする。
【００５６】
そして、この様に電源オフの間にＳＩＭカードの排出、装着が行われた後、キー操作部９を操作することにより電源がオンになると図５のフローチャートがスタートする。なお、図５の処理は、ＣＰＵ１０６が各部を制御することにより実行される。
【００５７】
まず、ＳＩＭスロット（Ａ）３にＳＩＭカードが装着されているか否かを判別する（Ｓ５０１）。ＳＩＭスロット３にカードが装着されていた場合、ＳＩＭスロット３を介して、ＳＩＭカードから図７の如き加入者情報を読み出して、ＲＡＭ１０７に記憶する（Ｓ５０２）。
【００５８】
続いて、ＳＩＭスロット（Ｂ）４にＳＩＭカードが装着されているか否かを判別する（Ｓ５０３）。ＳＩＭスロット４にカードが装着されていた場合、ＳＩＭスロット４を介して、ＳＩＭカードから図７の如き加入者情報を読み出して、ＲＡＭ１０７に記憶する（Ｓ５０４）。
【００５９】
続いて、ＳＩＭスロット（Ｃ）５にＳＩＭカードが装着されているか否かを判別する（Ｓ５０５）。ＳＩＭスロット５にカードが装着されていた場合、ＳＩＭスロット５を介して、ＳＩＭカードから図７の如き加入者情報を読み出して、ＲＡＭ１０７に記憶する（Ｓ５０６）。
【００６０】
次に、ＳＩＭスロット３に装着されたＳＩＭカードＡの認証処理を実行する（Ｓ５０７）。
【００６１】
Ｓ５０７の認証処理を図６のフローチャートを用いて説明する。
【００６２】
まず、選択されたスロットのカード、ここでは、スロット３に装着されたＳＩＭカードＡ６のＰＩＮコード認証用画面を生成し、表示部２に表示する（Ｓ６０１）。図８は、ＰＩＮコードの入力画面を示す図である。
【００６３】
８０１は表示部２の表示画面であり、入力を促すメッセージ８０２を表示する。ユーザは、キー操作部９を用い、入力欄８０３に対してＰＩＮコードを入力する。８０４は決定用カーソルである。
【００６４】
ＰＩＮコード入力用画面を表示した後、ユーザによりＰＩＮコードが入力されると、入力されたコードがＳＩＭカードＡ６から読み出したＰＩＮコードと一致するか否かを判別する（Ｓ６０２）。ＰＩＮコードが一致し、正しく認証されると、ＳＩＭカードＡ６が認証済みである旨の情報をＲＡＭ１０７に記憶する（Ｓ６０３）。一方、認証が失敗した場合、ＳＩＭカードＡ３の認証が失敗し、ＳＩＭカードＡ３を利用した通信ができない旨の画面を表示部２に表示する（Ｓ６０４）。
【００６５】
この様に、ＳＩＭスロット３に装着されたＳＩＭカードＡ６の認証処理が完了すると、引き続き、ＳＩＭスロット４、ＳＩＭスロット５に装着されたＳＩＭカードＢ７とＳＩＭカードＣ８の認証処理を実行する（Ｓ５０８、Ｓ５０９）。
【００６６】
そして、認証が完了したＳＩＭカードの識別情報に基づいて使用する通信回線を決定する。そして、通信部１０１〜１０３のうち、各ＳＩＭカードの通信回線を使用して通信を行うための通信部を各ＳＩＭカードに対応付けて決定する。
【００６７】
また、識別情報に基づいて契約した回線ごとに設定されている、アプリケーションプログラムの情報をＲＯＭ１０８から読み取り、更に、壁紙やアドレス情報などのユーザ情報をＥＥＰＲＯＭ１０９から読み取る。読み取った各情報をＲＡＭ１０７に格納する（Ｓ５２８）。
【００６８】
また、Ｓ５０１で、ＳＩＭスロット５にＳＩＭカードが装着されていなかった場合、ＳＩＭカードＡ６とＳＩＭカードＢ７の認証処理を実行する（Ｓ５１０、Ｓ５１１）。
【００６９】
また、Ｓ５０３でＳＩＭスロット４にＳＩＭカードが装着されていなかった場合、ＳＩＭスロット５にＳＩＭカードが装着されているか否かを判別する（Ｓ５１２）。ＳＩＭスロット５にＳＩＭカードが装着されていた場合、装着されたＳＩＭカードＣ８から識別情報を読み出す（Ｓ５１３）。そして、ＳＩＭカードＡ６とＳＩＭカードＣ８の認証処理を実行する（Ｓ５１４、Ｓ５１５）。
【００７０】
また、Ｓ５１２でＳＩＭスロット５にＳＩＭカードが装着されていなかった場合、ＳＩＭカードＡ６の認証処理を実行する（Ｓ５１６）。
【００７１】
また、Ｓ５０１で、ＳＩＭスロット３にＳＩＭカードが装着されていなかった場合、ＳＩＭスロット４にＳＩＭカードが装着されているか否かを判別する（Ｓ５１７）。ＳＩＭスロット４にＳＩＭカードが装着されていた場合、ＳＩＭスロット４を介して、ＳＩＭカードＢ７から加入者情報を読み出して、ＲＡＭ１０７に記憶する（Ｓ５１８）。
【００７２】
続いて、ＳＩＭスロット５にＳＩＭカードが装着されているか否かを判別する（Ｓ５１９）。ＳＩＭスロット５にカードが装着されていた場合、ＳＩＭスロット５を介して、ＳＩＭカードＣ８から加入者情報を読み出して、ＲＡＭ１０７に記憶する（Ｓ５２０）。そして、ＳＩＭカードＢ７とＳＩＭカードＣ８の認証処理を実行する（Ｓ５２１、Ｓ５２２）。
【００７３】
また、Ｓ５１９で、ＳＩＭスロット５にＳＩＭカードが装着されていなかった場合、ＳＩＭカードＢ７の認証処理を実行する（Ｓ５２３）。
【００７４】
また、Ｓ５１７でＳＩＭスロット４にＳＩＭカードが装着されていなかった場合、ＳＩＭスロット５にＳＩＭカードが装着されているか否かを判別する（Ｓ５２４）。ＳＩＭスロット５にカードが装着されていた場合、ＳＩＭスロット５を介して、ＳＩＭカードＣ８から加入者情報を読み出して、ＲＡＭ１０７に記憶する（Ｓ５２５）。そして、ＳＩＭカードＣ８の認証処理を実行する（Ｓ５２６）。
【００７５】
また、Ｓ５２４でＳＩＭスロット５にもカードが装着されていない場合、ＳＩＭカードが装着されていない旨の情報を表示部２に表示し、予め決められた処理に戻る（Ｓ５２７）。なお、本実施形態では、ＳＩＭカードが装着されていない場合には、通信部１０１〜１０３を利用した機能を利用することができないが、他の機能を利用することができるものとする。
【００７６】
この様に、電源投入時には、ＳＩＭスロット３、４、５に装着されたＳＩＭカードから読み出した識別情報に従い、認証処理を実行する。
【００７７】
次に、電話機１００の電源投入に伴うセルサーチの処理について説明する。
【００７８】
Ｗ−ＣＤＭＡ方式やＣＤＭＡ２０００方式によって通信を行う電話機では、各位置登録エリアに含まれる多数のセルをカバーする無線基地局の中から、自身が通信可能な基地局を探索する。そして、探索の結果検出した基地局を介して位置登録を行う。
【００７９】
本実施形態の電話機１００では、電源投入後、前述の如く各ＳＩＭカードの認識処理に引続いて、セルサーチの動作を実行する。
【００８０】
図９は電源投入時に実行するセルサーチに係る処理を示すフローチャートである。なお、図９の処理はＣＰＵ１０６によって実行される。
【００８１】
まず、内蔵するカウンタのカウント値ＣＯＵＮＴ、及び、変数ＴＡ，ＴＢ，ＴＣをリセットする（Ｓ９０１）。ＴＡ，ＴＢ，ＴＣはそれぞれ、ＳＩＭカードＡ、ＳＩＭカードＢ、ＳＩＭカードＣによって決定した通信回線のためのセルサーチ処理の実行間隔を決める変数である。
【００８２】
次に、ＳＩＭカードＡが認証済みであるか否かを判別する（Ｓ９０２）。認証済みでない場合（ＳＩＭカードＡが装着されていない場合も含む）、Ｓ９０４に進む。認証済みであった場合、セルサーチ処理に移行する（Ｓ９０３）。
【００８３】
セルサーチ処理について、図１０のフローチャートを用いて説明する。なお、図１０では、ＳＩＭカードＡに応じた通信回線のためのセルサーチ処理について説明するが、他のＳＩＭカードに応じた通信回線のためのセルサーチについても、変数ＴＡに代えてＴＢ，ＴＣを使用することで同様に実行できる。
【００８４】
まず、電投入後、最初のセルサーチ処理か否かを判別する（Ｓ１００１）。ここでは、最初のセルサーチ処理であるため、Ｓ１００３に進み、周囲の基地局からの電波強度を判定する。
【００８５】
前述の様に、通信部１０１〜１０３のアンテナ共用機により電波強度の値を測定し、ＣＰＵ１０６に出力している。そのため、ＣＰＵ１０６は、選択されたＳＩＭカードに対応する通信部から出力された電波強度を検出する。
【００８６】
ここで、電波強度が閾値を超えていた場合、公知の技術を用い、選択されたＳＩＭカードに対応する通信部により、周囲の無線基地局のうち通信可能な基地局を探索する（Ｓ１００４）。
【００８７】
探索の結果、基地局が検出できたか否かを判別し（Ｓ１００５）、検出できた場合には、その基地局との間で通信を行い、公知の技術を用いて位置登録処理を行う（Ｓ１００６）。そして、選択中のＳＩＭカードに応じた通信回線について、待ち受け状態に移行し、その旨をＲＡＭ１０７に記憶する（Ｓ１００７）。
【００８８】
一方、Ｓ１００３で電波強度が閾値以下の場合、或いは、Ｓ１００５で基地局が検出できなかった場合、後述の如く、選択されたＳＩＭカードに設定された優先度を検出する（Ｓ１００８）。
【００８９】
そして、優先度が高い場合、次回セルサーチを実行するまでの間隔をＴ１に設定し、このＴ１を現在のカウント値ＣＯＵＮＴに加算してＴＡに設定する（Ｓ１００９）。
【００９０】
また、Ｓ１００８で、低い優先度が設定されていた場合、Ｔ１よりも長いＴ２を、次回セルサーチを実行するまでの間隔として設定する。そして、このＴ２をＣＯＵＮＴに加算してＴＡに設定する（Ｓ１０１０）。
【００９１】
図９に戻り、ＳＩＭカードＡのセルサーチ処理完了後、ＳＩＭカードＢが認証済みであるか否かを判別する（Ｓ９０４）。認証済みでない場合（ＳＩＭカードＢが装着されていない場合も含む）、Ｓ９０６に進む。認証済みであった場合、図１０のＳＩＭカードＢに関するセルサーチ処理に移行する（Ｓ９０５）。
【００９２】
ＳＩＭカードＢのセルサーチ処理完了後、ＳＩＭカードＣが認証済みであるか否かを判別する（Ｓ９０４）。認証済みでない場合（ＳＩＭカードＣが装着されていない場合も含む）、処理を終了する。認証済みであった場合、図１０のＳＩＭカードＣに関するセルサーチ処理に移行する（Ｓ９０７）。
【００９３】
次に、優先度の設定処理について説明する。
【００９４】
本実施形態では、装着されたＳＩＭカードによって決定した通信回線の間で、セルサーチ処理を実行する際の優先度をユーザが任意に設定することができる。即ち、高い優先度を設定した通信回線については、低い優先度を設定した通信回線よりもセルサーチの実行間隔を短く設定した。
【００９５】
図１３は、優先度設定処理を示すフローチャートである。
【００９６】
ユーザが、操作部９を操作することにより、メニュー画面を表示部２に表示させ、このメニュー画面を利用して優先度の設定項目を選択することで図１３のフローが開始する。なお、図１３の処理は、ＣＰＵ１０６により実行される。
【００９７】
優先度の設定が指示されると、まず、スロット３、４、５に装着されたＳＩＭカードのうち、認証済みのＳＩＭカードを検出する（Ｓ１３０１）。そして、検出したＳＩＭカードに対応する通信回線に対して、それぞれ優先度を設定するための設定用画面を表示部２に表示する（Ｓ１３０２）。
【００９８】
図１４は、このときに表示する優先度設定用画面である。
【００９９】
図１４において、表示画面１４０１には、承認済みのＳＩＭカードに対応した電話番号と契約会社の情報１４０３を表示する。ユーザは、操作部９を操作することで、カーソル１４０２を上下に移動させることで、優先度を設定したい電話番号（通信回線）を選択する。そして、電話番号が選択されると、その右側に、優先度の情報を表示し、ユーザはカーソル１４０２により何れかの優先度を選択することで、優先度を設定する。また、１４０４は決定ボタンで、ユーザがカーソル１４０２を決定ボタンに移動させることで、優先度を記憶させる。また、１４０５はキャンセルボタンである。
【０１００】
ユーザは操作部９を操作することにより、各通信回線に対する優先度を設定することができる。本実施形態では、高優先度と低優先度のうちの一方を選択して設定する。
【０１０１】
優先度が設定された場合（Ｓ１３０３）、各通信回線に対して設定された優先度の情報をＲＡＭ１０７に記憶する。また、優先度設定処理がキャンセルされた場合、新たに優先度を設定することなく処理を終了する。
【０１０２】
なお、本実施形態では、ＳＩＭスロット３、４、５の何れかに対して、新たにＳＩＭカードが装着された場合、それまで設定されていた優先度を全てリセットする。そして、各ＳＩＭカードに対応した通信回線の優先度を一律に高い優先度に設定する。
【０１０３】
次に、電源投入後、定期的に実行するセルサーチ及び待ち受け時処理について説明する。
【０１０４】
図１１は、電源投入後にＣＰＵ１０６により実行される処理を示すフローチャートである。図１１の処理は、電話機１００の電源がオンされている間、決められた間隔で繰り返し実行される。
【０１０５】
まず、ＳＩＭカードＡが認証済みであるか否かを判別する（Ｓ１１０１）。認証済みでない場合（ＳＩＭカードＡが装着されていない場合も含む）、Ｓ１１０５に進む。また、認証済みであった場合、ＳＩＭカードＡに対応する通信回線が待ち受け状態であるか否かを判別する（Ｓ１１０２）。待ち受け状態であった場合、Ｓ１１０３に進み、待ち受け時の処理を実行する。
【０１０６】
図１２は、待ち受け時の処理を示すフローチャートである。
【０１０７】
まず、現在選択中のＳＩＭカードに対応した通信回線のための電波強度を閾値と比較する（Ｓ１２０１）。そして、電波強度が閾値よりも大きかった場合、公知の技術を使用し、通信部により所定のチャネルの信号を受信し、受信したデータを利用して現在の位置登録エリアを検出する（Ｓ１２０２）。位置登録エリアが検出できた場合、処理を終了する。なお、位置登録エリアが検出できた場合には、この位置登録エリアを利用した位置登録エリアの移行判別、位置登録処理など、公知の処理を実行するが、本件とは直接関係ないため、説明を割愛する。
【０１０８】
一方、Ｓ１２０１で電波強度が閾値以下の場合、又は、Ｓ１２０２で位置登録エリアが検出できなかった場合には、待ち受け状態を解除して圏外状態に設定する（Ｓ１２０３）。そして、現在選択されている通信回線の状態が圏外である旨の情報をＲＡＭ１０７に記憶する。
【０１０９】
次に、現在選択された通信回線の優先度を判別する（Ｓ１２０４）。高い優先度が設定されていた場合、次回セルサーチを実行するまでの間隔をＴ１に設定し、このＴ１を現在のカウント値ＣＯＵＮＴに加算してＴＡに設定する（Ｓ１２０５）。
【０１１０】
また、Ｓ１２０４で、低い優先度が設定されていた場合、Ｔ１よりも長いＴ２を、次回セルサーチを実行するまでの間隔として設定する。そして、このＴ２をＣＯＵＮＴに加算してＴＡに設定する（Ｓ１２０６）。
【０１１１】
図１１に戻り、Ｓ１１０２で、待ち受け状態で無かった場合、Ｓ１１０４に進み、前述のセルサーチ処理を実行する。
【０１１２】
Ｓ１１０４のセルサーチ処理は図１０に示した処理と同じであるが、ここでは、電源投入直後のセルサーチ処理では無いため、Ｓ１００１からＳ１００２に移行する。そして、Ｓ１００２では、カウント値ＣＯＵＮＴが、現在選択されているＳＩＭカードの変数、例えばＳＩＭカードＡの場合ＴＡ以上であるか否かを判別する。
【０１１３】
判別の結果、ＣＯＵＮＴがＴＡ以上であった場合、Ｓ１００３に進み、これ以降、前述の処理を行う。また、ＣＯＵＮＴがＴＡよりも小さい場合は、まだセルサーチ処理を実行するタイミングとなっていないため、そのまま処理を終了する。
【０１１４】
再び図１１に戻り、ＳＩＭカードＢが認証済みであるか否かを判別する（Ｓ１１０５）。認証済みで無い場合にはＳ１１０５に進む。また、認証済みであった場合、ＳＩＭカードＢに対応する通信回線が待ち受け状態であるか否かを判別する（Ｓ１１０６）。待ち受け状態であった場合、Ｓ１１０７に進み、図１２に示す待ち受け時の処理を実行する。一方、待ち受け状態で無く、圏外状態であった場合、Ｓ１１０８に進み、図１０に示すセルサーチ処理を実行する。
【０１１５】
次に、ＳＩＭカードＣが認証済みであるか否かを判別する（Ｓ１１０９）。認証済みで無い場合には処理を終了する。また、認証済みであった場合、ＳＩＭカードＣに対応する通信回線が待ち受け状態であるか否かを判別する（Ｓ１１１０）。待ち受け状態であった場合、Ｓ１１１１に進み、図１２に示す待ち受け時の処理を実行する。一方、待ち受け状態で無く、圏外状態であった場合、Ｓ１１１２に進み、図１０に示すセルサーチ処理を実行する。
【０１１６】
以上説明したように、本実施形態においては、各ＳＩＭカードに対応した通信回線毎に、圏外状態におけるセルサーチ処理を実行する間隔を設定している。そして、設定した間隔に応じてセルサーチ処理を実行するため、複数の通信回線を使用して通信を行う場合であっても、圏外時におけるセルサーチ処理を適切に設定し、消費電力を削減することができる。
【０１１７】
特に、本実施形態においては、ユーザ自身が各通信回線に対する優先度を設定するため、ユーザが高い優先度を設定した通信回線については、セルサーチ処理の実行間隔を短くして頻度を高くすることができる。
【０１１８】
そのため、高い優先度の通信回線については、基地局からの電波強度が高い圏内に復帰した時に迅速に待ち受け状態に移行することができる。
【０１１９】
また、低い優先度の通信回線についてはセルサーチ処理の間隔を長くすることで消費電力を抑えることができる。
【０１２０】
なお、本実施形態では、複数の通信回線の間で二段階の優先度を設定したが、これに限らず、三段階以上の優先度を設定する構成にしてもよい。また、セルサーチの実行間隔を複数の所定の間隔の中からユーザが選択する構成としてもよい。
【０１２１】
次に、第２の実施形態を説明する。
【０１２２】
なお、第２の実施形態においても、電話機１００の構成、及び、基本的な動作は第１の実施形態と同様である。
【０１２３】
本実施形態では、優先度の設定処理が第１の実施形態とは異なる。
【０１２４】
第１の実施形態では、装着されているＳＩＭカードに対応した通信回線毎に優先度を設定し、セルサーチ処理を実行する間隔を設定していた。
【０１２５】
これに対し、本実施形態では、装着されているＳＩＭカードに対応した通信キャリア（契約会社）毎に優先度を設定する。
【０１２６】
図１５は、本実施形態における優先度の設定処理を示すフローチャートである。
【０１２７】
ユーザが、操作部９を操作することにより、メニュー画面を表示部２に表示させ、このメニュー画面を利用して優先度の設定項目を選択することで図１５のフローが開始する。なお、図１５の処理は、ＣＰＵ１０６により実行される。
【０１２８】
優先度の設定が指示されると、まず、スロット３、４、５に装着されたＳＩＭカードのうち、認証済みのＳＩＭカードを検出する（Ｓ１５０１）。そして、認証済みのＳＩＭカードに対応した契約会社を検出する（Ｓ１５０２）。次に、検出したＳＩＭカードに対応する契約会社に対して、それぞれ優先度を設定するための設定用画面を表示部２に表示する（Ｓ１５０３）。
【０１２９】
図１６は、このときに表示する優先度設定用画面である。
【０１３０】
図１６において、表示画面１６０１には、認証済みのＳＩＭカードに対応した契約会社の情報１６０３を表示する。ユーザは、操作部９を操作することで、カーソル１６０２を上下に移動させることで、優先度を設定したい契約会社（通信回線）を選択する。そして、契約会社が選択されると、その右側に、優先度の情報を表示し、ユーザはカーソル１６０２により何れかの優先度を選択することで、優先度を設定する。また、１６０４は決定ボタンで、ユーザがカーソル１６０２を決定ボタン１６０４に移動させることで、優先度を記憶させる。また、１６０５はキャンセルボタンである。
【０１３１】
ユーザは操作部９を操作することにより、各契約会社に対する優先度を設定することができる。本実施形態では、高優先度と低優先度のうちの一方を選択して設定する。
【０１３２】
優先度が設定された場合（Ｓ１５０４）、各契約会社に対応する通信回線を検出し、通信回線毎に設定された優先度の情報をＲＡＭ１０７に記憶する（Ｓ１５０５）。また、優先度設定処理がキャンセルされた場合、新たに優先度を設定することなく処理を終了する（Ｓ１５０６）。
【０１３３】
なお、本実施形態では、ＳＩＭスロット３、４、５の何れかに対して、新たにＳＩＭカードが装着された場合、それまで設定されていた優先度を全てリセットする。そして、各ＳＩＭカードに対応した通信回線の優先度を一律に高い優先度に設定する。
【０１３４】
本実施形態においては、ユーザ自身が契約会社毎に優先度を設定するため、ユーザが高い優先度を設定した契約会社の通信回線については、セルサーチ処理の実行間隔を短くして頻度を高くすることができる。
【０１３５】
そのため、高い優先度の契約会社の通信回線については、基地局からの電波強度が高い圏内に復帰した時に迅速に待ち受け状態に移行することができる。
【０１３６】
また、低い優先度の通信回線についてはセルサーチ処理の間隔を長くすることで消費電力を抑えることができる。
【０１３７】
次に、第３の実施形態を説明する。
【０１３８】
なお、第３の実施形態においても、電話機１００の構成、及び、基本的な動作は第１の実施形態と同様である。
【０１３９】
本実施形態では、優先度の設定処理が第１の実施形態とは異なる。
【０１４０】
本実施形態では、装着されているＳＩＭカードに対し、その用途を設定することができる構成とした。そして、用途毎に優先度を設定する。
【０１４１】
ユーザは、操作部９を操作することによりメニュー画面を表示し、このメニュー画面を利用して、各ＳＩＭカードに対応した通信回線毎に用途を設定する。本実施形態では、予め仕事用、個人用の二つの用途を用意しておき、ユーザはこれら二つの用途のうちの何れかを選択して設定することができる。なお、これ以外の用途を予め容易しておくことも可能であり、また、ユーザが自分で好みの用途を設定できるようにすることも可能である。
【０１４２】
ユーザにより用途が設定されると、設定された用途の情報が通信回線毎にＲＡＭ１０７に記憶される。
【０１４３】
この様に各通信回線に対する用途を設定した後、更に、各用途に対してセルサーチの際の優先度を設定する。図１７は、本実施形態における優先度の設定処理を示すフローチャートである。
【０１４４】
ユーザが、操作部９を操作することにより、メニュー画面を表示部２に表示させ、このメニュー画面を利用して優先度の設定項目を選択することで図１７のフローが開始する。なお、図１７の処理は、ＣＰＵ１０６により実行される。
【０１４５】
優先度の設定が指示されると、まず、スロット３、４、５に装着されたＳＩＭカードのうち、認証済みのＳＩＭカードを検出する（Ｓ１７０１）。そして、認証済みのＳＩＭカード毎に設定された用途の情報を検出する（Ｓ１７０２）。次に、検出したＳＩＭカードに対応する用途に対して、それぞれ優先度を設定するための設定用画面を表示部２に表示する（Ｓ１７０３）。
【０１４６】
図１８は、このときに表示する優先度設定用画面である。
【０１４７】
図１８において、表示画面１８０１には、認証済みのＳＩＭカードに対応した用途の情報１８０３を表示する。本実施形態では、個人用と仕事用の二つの用途が予め用意されているので、これらを表示する。
【０１４８】
ユーザは、操作部９を操作することで、カーソル１８０２を上下に移動させることで、優先度を設定したい用途を選択する。そして、用途が選択されると、その右側に、優先度の情報を表示し、ユーザはカーソル１８０２により何れかの優先度を選択することで、優先度を設定する。また、１８０４は決定ボタンで、ユーザがカーソル１８０２を決定ボタン１８０４に移動させることで、優先度を記憶させる。また、１８０５はキャンセルボタンである。
【０１４９】
ユーザは操作部９を操作することにより、各用途に対する優先度を設定することができる。本実施形態では、高優先度と低優先度のうちの一方を選択して設定する。
【０１５０】
優先度が設定された場合（Ｓ１７０４）、各用途に対応する通信回線を検出し、通信回線毎に設定された優先度の情報をＲＡＭ１０７に記憶する（Ｓ１７０５）。また、優先度設定処理がキャンセルされた場合、新たに優先度を設定することなく処理を終了する（Ｓ１７０６）。
【０１５１】
本実施形態においては、ユーザが通信回線毎にその用途を設定する。そして、用途毎に優先度を設定するため、ユーザが高い優先度を設定した用途の通信回線については、セルサーチ処理の実行間隔を短くして頻度を高くすることができる。
【０１５２】
そのため、高い優先度の用途の通信回線については、基地局からの電波強度が高い圏内に復帰した時に迅速に待ち受け状態に移行することができる。
【０１５３】
また、低い優先度の通信回線についてはセルサーチ処理の間隔を長くすることで消費電力を抑えることができる。
【０１５４】
次に、第４の実施形態を説明する。
【０１５５】
なお、第４の実施形態においても、電話機１００の構成、及び、基本的な動作は第１の実施形態と同様である。
【０１５６】
第１〜第３の実施形態では、通信回線毎、契約会社毎、或いは、用途毎にユーザがセルサーチの際の優先度を設定していた。
【０１５７】
これに対し、本実施形態では、電話機１００の使用状況に応じて自動的にセルサーチ時の優先度を決定する。具体的には、電話帳１００に登録された電話番号のキャリアの数に応じて優先度を設定する。
【０１５８】
本実施形態では、電話帳に相手の電話番号だけでなく、キャリアの情報も登録できる。
【０１５９】
即ち、ユーザは、操作部９を操作することにより電話帳登録画面を表示し、この電話帳登録画面を利用して、相手の電話番号やその他の情報を登録する。更に、本実施形態では、相手のキャリアの情報も登録できる。登録された相手の名前や電話番号、キャリア等の情報は電話帳情報としてＲＡＭ１０７に記憶される。
【０１６０】
なお、本実施形態において、周知の様に、この電話帳を利用した発信処理が可能である。即ち、ユーザは、電話帳を表示させ、登録された電話番号の中から相手の電話番号を選択し、発信を指示することで、選択された相手に発信することが可能となる。
【０１６１】
この様に、電話帳の内容が更新されると、優先度の設定処理を実行する。
【０１６２】
図１９は、優先度設定処理を示すフローチャートである。なお、図１９の処理はＣＰＵ１０６によって実現される。また、図１９の処理は、電話機１００の電源投入時、及び、電話帳の内容が更新された時、更に、何れかのスロットにＳＩＭカードが装着された際、及びＳＩＭカードが取り出された際に実行される。
【０１６３】
まず、変数ｉを１にセットする（Ｓ１９０１）。次に、ＲＡＭ１０７に記憶されている電話帳情報を確認し、電話帳に登録された電話番号に対応したキャリアの数をキャリア毎に算出する。そして、その割合の多い順にキャリアを並べ替える（Ｓ１９０２）。
【０１６４】
次に、認証済みのＳＩＭカードのキャリアを検出する（Ｓ１９０３）。
【０１６５】
そして、Ｓ１９０２で並べ替えられた順に従い、ｉ番目のキャリアに対応したＳＩＭカードが認証されているか否かを判別する（Ｓ１９０４）。ｉ番目のキャリアに対応したＳＩＭカードが認証されていた場合、このｉ番目のキャリアに対して高い優先度を設定する（Ｓ１９０５）。そして、認証されている全てのＳＩＭカードのうち、ｉ番目のキャリアに対応した全てのＳＩＭカードに対して高い優先度を設定し、この優先度の情報をＲＡＭ１０７に記憶する（Ｓ１９０６）。
【０１６６】
一方、Ｓ１９０４でｉ番目のキャリアに対応したＳＩＭカードが認証されていなかった場合、Ｓ１９０２で算出されたキャリアのうち、残りのキャリアがあるか否かを判別する（Ｓ１９０７）。残りのキャリアがなかった場合、処理を終了する。
【０１６７】
また、残りのキャリアがあった場合、変数ｉに１を加え、Ｓ１９０４に戻る（Ｓ１９０８）。
【０１６８】
この様に優先度が設定された後、図１０〜図１２に示した通り、セルサーチ処理、或いは、待ち受け時の処理を実行する。
【０１６９】
電話帳に登録されている相手のうち、最も数が多いキャリアから電話機１００に対して電話がかかってくる可能性が高いと考えられる。
【０１７０】
そこで、本実施形態においては、電話帳に登録された電話番号に対応したキャリアのうち、最も割合が多いキャリアに対応するＳＩＭカードに対して高い優先度を設定する。そのため、ユーザが高い優先度を設定した用途の通信回線については、セルサーチ処理の実行間隔を短くして頻度を高くすることができる。
【０１７１】
また、その他のキャリアに対応する回線については、セルサーチ処理の頻度を低くして消費電力を抑えることができる。
【０１７２】
次に、第５の実施形態を説明する。
【０１７３】
なお、第５の実施形態においても、電話機１００の構成、及び、基本的な動作は第１の実施形態と同様である。
【０１７４】
第４の実施形態では、電話帳に登録された相手のキャリアの割合に基づいて優先度を設定していた。
【０１７５】
これに対し、本実施形態では、電話機１００の通話履歴に応じて自動的にセルサーチ時の優先度を決定する。
【０１７６】
本実施形態においても、電話帳に相手の電話番号だけでなく、契約会社の情報も登録できる。そして、電話機１００により、発信、或いは着信により電話帳に登録された相手と通話を行った場合、相手の番号、名前とキャリア、及び通話時間の情報を履歴情報としてＲＡＭ１０７に記憶する。なお、電話機１００から発信した場合の履歴情報を発信履歴（リダイヤル）情報として記憶し、着信した場合の履歴情報を着信履歴情報として記憶する。また、本実施形態では、過去数十件、例えば３０件分の履歴を記憶する。
【０１７７】
この様に、新たに着信による通話が終了すると、優先度の設定処理を実行する。
【０１７８】
図２０は、優先度設定処理を示すフローチャートである。なお、図２０の処理はＣＰＵ１０６によって実現される。また、図２０の処理は、電話機１００の電源投入時、及び、新たに着信による通話が終了した時、更に、何れかのスロットにＳＩＭカードが装着された際、及びＳＩＭカードが取り出された際に実行される。
【０１７９】
まず、変数ｉを１にセットする（Ｓ２００１）。次に、ＲＡＭ１０７に記憶されている発信履歴情報を確認し、登録された相手に対する通話時間を相手のキャリア毎に算出する。そして、その割合の多い順に相手を並べ替える（Ｓ２００２）。
【０１８０】
次に、認証済みのＳＩＭカードのキャリアを検出する（Ｓ２００３）。
【０１８１】
そして、Ｓ２００２で並べ替えられた順に従い、ｉ番目のキャリアに対応したＳＩＭカードが認証されているか否かを判別する（Ｓ２００４）。ｉ番目のキャリアに対応したＳＩＭカードが認証されていた場合、このｉ番目のキャリアに対して高い優先度を設定する（Ｓ２００５）。そして、認証されている全てのＳＩＭカードのうち、ｉ番目のキャリアに対応した全てのＳＩＭカードに対して高い優先度を設定し、この優先度の情報をＲＡＭ１０７に記憶する（Ｓ２００６）。
【０１８２】
一方、Ｓ２００４でｉ番目のキャリアに対応したＳＩＭカードが認証されていなかった場合、Ｓ２００２で算出されたキャリアのうち、残りのキャリアがあるか否かを判別する（Ｓ２００７）。残りのキャリアがなかった場合、処理を終了する。
【０１８３】
また、残りのキャリアがあった場合、変数ｉに１を加え、Ｓ２００４に戻る（Ｓ２００８）。
【０１８４】
この様に優先度が設定された後、図１０〜図１２に示した通り、セルサーチ処理、或いは、待ち受け時の処理を実行する。
【０１８５】
発信履歴に登録されている相手のうち、最も通話時間が長かった相手に対し、電話機１００から発信する可能性が高いと考えられる。
【０１８６】
そこで、本実施形態においては、発信履歴に記憶された相手のうち、通話時間が長い相手に対応するキャリアのＳＩＭカードに対して高い優先度を設定する。そのため、ユーザが高い優先度を設定した用途の通信回線については、セルサーチ処理の実行間隔を短くして頻度を高くすることができる。
【０１８７】
なお、本実施形態では、発信履歴に登録された相手の通話時間を算出し、最も通話時間の多い相手のキャリアに対して優先度を高く設定したが、通話時間以外にも、通話時間に代えて発信回数などの情報を使うこともできる。
【０１８８】
また、前述の第２〜第５の実施形態では、複数の通信回線の間で二段階の優先度を設定したが、これに限らず、三段階以上の優先度を設定する構成にしてもよい。その場合、優先度が高くなる程、セルサーチ処理の実行間隔を短く設定する。
【０１８９】
また、前述の第１〜第５の実施形態において、バッテリの残量を検出し、残量が閾値よりも少なくなった場合に、通信回線毎の優先度に応じてセルサーチの間隔を変更するようにしてもよい。
【０１９０】
また、前述の実施形態では、ＳＩＭカードから加入者の識別情報を読み出して通信回線の設定を行っていたが、ＳＩＭカードではなく、他の記憶媒体に格納された識別情報を用いる場合にも同様に本発明を適用可能である。
【０１９１】
また、前述の実施形態では、携帯電話に対して本発明を適用した場合について説明したが、複数の通信回線を用いて通信を行う他の機器に対しても本発明を同様に適用可能である。
【図面の簡単な説明】
【０１９２】
【図１】実施形態における携帯電話機の外観図である。
【図２】実施形態の携帯電話機が使用されるシステムの構成を示す図である。
【図３】実施形態における携帯電話機の構成を示すブロック図である。
【図４】通信部の構成を示すブロック図である。
【図５】電源投入時の動作を示すフローチャートである。
【図６】認証処理を示すフローチャートである。
【図７】ＳＩＭカードに格納された識別情報を示す図である。
【図８】ＰＩＮコードの入力画面を示す図である。
【図９】電源投入時のセルサーチ処理を示すフローチャートである。
【図１０】セルサーチ処理を示すフローチャートである。
【図１１】電源オン中に実行される処理を示すフローチャートである。
【図１２】待ち受け時の処理を示すフローチャートである。
【図１３】優先度の設定処理を示すフローチャートである。
【図１４】優先度設定用の表示画面の様子を示す図である。
【図１５】優先度の設定処理を示すフローチャートである。
【図１６】優先度設定用の表示画面の様子を示す図である。
【図１７】優先度の設定処理を示すフローチャートである。
【図１８】優先度設定用の表示画面の様子を示す図である。
【図１９】優先度の設定処理を示すフローチャートである。
【図２０】優先度の設定処理を示すフローチャートである。
【図１】
0005063261.tif 000002
【図２】
0005063261.tif 000003
【図３】
0005063261.tif 000004
【図４】
0005063261.tif 000005
【図５】
0005063261.tif 000006
【図６】
0005063261.tif 000007
【図７】
0005063261.tif 000008
【図８】
0005063261.tif 000009
【図９】
0005063261.tif 000010
【図１０】
0005063261.tif 000011
【図１１】
0005063261.tif 000012
【図１２】
0005063261.tif 000013
【図１３】
0005063261.tif 000014
【図１４】
0005063261.tif 000015
【図１５】
0005063261.tif 000016
【図１６】
0005063261.tif 000017
【図１７】
0005063261.tif 000018
【図１８】
0005063261.tif 000019
【図１９】
0005063261.tif 000020
【図２０】
0005063261.tif 000021